【事件の表示】
　商願２００５−　９５３８３拒絶査定不服審判事件について、次のとおり審決する。
【結　論】
　本件審判の請求は、成り立たない。
【理　由】
１　本願商標 
 　本願商標は、別掲のとおりの構成よりなり、第２３類「糸」、第２４類「農業用のトンネル栽培・ハウス栽培・育苗用不織布，農業用不織布，その他の不織布，織物，メリヤス生地，フェルト，オイルクロス，ゴム引防水布，ビニルクロス，ラバークロス，レザークロス，ろ過布，布製身の回り品，ふきん，かや，敷布，布団，布団カバー，布団側，まくらカバー，毛布，織物製壁掛け，カーテン，テーブル掛け，どん帳，シャワーカーテン，紅白幕，ビリヤードクロス，のぼり及び旗（紙製のものを除く。），織物製トイレットシートカバー」及び第２５類「被服，ガーター，靴下止め，ズボンつり，ベルト，履物，運動用特殊衣服，運動用特殊靴」を指定商品として、平成１７年１０月１３日に登録出願されたものである。 
 　 
２　原査定の拒絶の理由の要点 
　原査定は、「本願商標は、『花粉ガード』の文字を横書きしてなり、その右側に『加工』の文字を小さく縦書きで書してなるが、本願商標は、『花粉を防御する加工』との意味を容易に理解させるものであり、さらに、指定商品を取り扱う業界において、花粉が付着しにくく、落ちやすい加工をした商品が、『花粉ガード用コート』『花粉ガードウエア』等と呼ばれて実際に販売取引されていることよりすれば、本願商標を指定商品に使用するときは、『花粉を防御する加工を施した商品』であることを認識させるに止まり、単にその商品の品質を表示するにすぎないものと認める。したがって、本願商標は、商標法第３条第１項第３号に該当する。」旨認定、判断をし、本願を拒絶したものである。 
  　 
３　当審の判断 
（１）本願商標は、別掲のとおり、「花粉ガード」の文字を横書きし、その右側に「加工」の文字を、「花粉ガード」の文字幅に収まるようにやや小さく縦書きしてなるところ、その構成中の「花粉」の文字は「種子植物の雄性の配偶体」等を意味する語、「ガード」の文字は「保護する, 守る、防護」等を意味する「ＧＵＡＲＤ」に通じる外来語及び「加工」の文字は「細工すること。原材料に手を加えること」等を意味する語として、一般に知られているものであるから、全体として「花粉から防護する加工」等の意味合いを容易に想起し得るものである。
　そして、近年、植物の花粉、特に我が国においてスギ花粉が原因となって起こる花粉症にかかる者が増加しており、その花粉対策の商品として、マスク、サングラス、ゴーグル、布団干し袋、衣類スプレー等が製造、販売され、これらの商品に「花粉ガード」「花粉ガード○○（商品名）」のように「花粉ガード」の文字が使用されている。
　さらに、本願の指定商品の分野においても、花粉対策の素材（繊維）が開発され、当業界において、「花粉ガード加工」の文字が、「繊維の表面を滑らかにし、また静電気の発生を抑え粘着性のある花粉や埃などの吸着を防ぎ落としやすくする加工のこと」等の意味合いを有する語として使用され、その素材（繊維）からブラウス，ジャケット、スーツ、コート、ブルゾン、帽子、スポーツ用ウインドブレーカー、布団、布団カバー、カーテン等、多用途に拡大使用されるものとして紹介され、また販売されている実情があり、その際、「花粉ガード加工」「花粉ガード加工『○○○（商品名）』」、「『花粉ガード』加工」、「花粉ガード加工の授乳服」、「花粉ガードウエア」「花粉ガードコート」のように称して紹介あるいは表示されている。 
（２）上記実情は、拒絶査定で示した新聞記事を含めて、以下の雑誌、新聞記事、インターネットのホームページ情報からも裏付けられるところである（なお、下線は、審判合議体で加入した。）。 
ア　雑誌記事情報
（ア）「繊維科学」（２００３年４月１５日（株）日本繊維センター発行）
　「美容・健康素材と花粉症対策製品の展開」の表題のもと、【花粉症対策素材】の項に、「最近、シーズン性などからクローズアップされている
花粉症対策を訴える素材
　さらに、「
花粉付着抑制ウェア『アンチポラン』の展開
外出時に付着した衣類の花粉を家庭などの屋内になるべく持ち込まないよう、『花粉がつきにくく、落ちやすいウエア』をコンセプトにした花粉対策商品。
婦人向けコートで２月中旬から展開
婦人向けブルゾンと帽子
今後・・・紳士用、子供用、スポーツ用、ユニフォーム用等で拡大展開するとしている。
　また、「
花粉やホコリがつきににくい／静電気防止素材カネボウ『ドーデン』
用途展開として「コート、スーツ、ドレス、ブラウス、スポーツ衣料、インナーウエア、裏地等
　さらに、「富士紡の
花粉のつきにくい新素材『花粉クリーン』
花粉を生地につきにくく、ついた場合でも落ちやすくする。
ジャケットやドレスシャツのようなアウター衣料、シーツやカバー、パジャマ等の寝装品なども安心して使用できる
まずリビング寝装品のシーツ・カバーで販売を開始、０３年２月からは大手量販店よりブラウス・ジャケットでの販売
（イ）「繊維機械学会誌 せんい」（平成15年4月25日(社)日本繊維機械学会発行）
　「
花粉付着抑制ウエア
花粉が付きにくく，落ちやすく，衣服内部にに入り込みにくいウェアにより花粉を屋内に持ち込まない』をコンセプトに開発された素材
婦人用のスプリングコート，ブルゾン，帽子などに展開した．今年度は，紳士・子供用のコート，ブルゾン，スポーツ用のウインドブレーカー，布団干しカバーなどの用途へも拡大した。
（ウ）「繊維製品消費科学」（２００３年４月２５日（社）日本繊維製品消費科学会発行）
　「ナノテクノロジーを組み込んだハイブリット花粉付着防止加工剤　“パラファイン　ＤＰ”について」の表題のもと、「
花粉症の予防・軽減法
衣服に花粉を付きにくく，付いても落ちやすくする事によって
飛散している花粉が付着しにくく，付着しても脱落し易くする事により，
布帛表面の平滑性に，さらに，肌に対するやさしさを配慮したスキンケア要素の有るアミノ酸誘導体を組み合わせることにより，平滑性，帯電防止性を高め，ハイブリット化を図り，トータル的に花粉対策を考えたものである。
具体的な用途としては，ブルゾン，ウインドブレーカーや春先のコートなどのアウトウエアや，シャツ，ブラウスなどの衣料の他に，布団や布団カバー，シーツなどの寝具類，さらにはカーテンなどのインテリア類に適用でき，特に糸・布帛設計を組み込んで，布帛表面をプレーン化し，花粉と繊維表面の接触面積を小さくした場合は，木綿ブロードなどの天然繊維素材にも効果を発揮させることが出来る。
（エ）「クロワッサン」（２００５年３月１０日マガジンハウス発行）
　「今年の花粉症は半端ではない、最新商品で万全対策。」の標題のもと、「ガード　外出時、帰宅時の必須アイテム。まずは花粉を寄せ付けない！」、「多重構造のマスクや、目の周りをしっかりと覆うコーグル、
花粉がつきにくい特殊素材の帽子
特殊素材を使った花粉対策ハット
花粉がつきにくく、落ちやすい特殊素材“アンチボラン”を採用
イ　新聞記事情報 
（ア）「繊研新聞」２００１．０２．２４　７面　繊研新聞社発行
　「小田急百貨店　新宿店が花粉対策グッズコーナー」の表題のもと、「小田急百貨店新宿店の本館８階健康プラザでは花粉対策グッズを販売している。・・・
花粉ガードコート
（イ）「繊研新聞」２００２．０４．２２　１５面　繊研新聞社発行
　「東レ、イオン　
花粉ガード
花粉の付着を抑えるウエア
アイテムは婦人のコート、ブルゾン、帽子
来シーズンは、婦人物以外の販売に乗り出す。とくに紳士物では、勢いをなくしているスプリングコート復活のきっかけにしたいと意気込んでいる。
（ウ）「繊研新聞」２００２．１２．１２　４面　繊研新聞社発行
　「増える花粉症対策関連　東レ　
花粉ガードウエア
花粉付着抑制ウエア
婦人物コート、ブルゾン、帽子
生地は花粉がつきにくく、落ちやすいをコンセプトに
紳士向けはコートとブルゾン、帽子、子供向けは、ブルゾンとコート、スポーツウエアは、ゴルフ向けウインドブレーカーと帽子、寝装関連では、布団干し用のカバーなどを販売する
（エ）「日本経済新聞」２００３年１月９日朝刊　日本経済新聞社発行
　「花粉症商戦　早めが効く？　小田急新宿店、初売りから展開」の表題のもと、「花粉症対策グッズ商戦がスタートした。・・・小田急百貨店新宿店（東京・新宿）は初売りの２日、早くも対策グッズコーナーを開設した。症状を和らげる効果があるといわれる竹酢入りのマスク（２枚、500円）や専用ゴーグル（2000―3600円）などをそろえた。最も多くの顧客が訪れる３月には、約300種類の商品を並べる予定だ。独自商品も用意。外出時に
洋服への花粉の付着を防ぐ『花粉ガードコート』（１万3800円）
（オ）「北國・富山新聞」２００３．０３．１２朝刊　北國新聞社発行
　「〔地場の目〕　北朝鮮リスクも」の表題のもと、「●花粉防止の発表効果は／北陸の銘柄では、サカイオーベックスが
繊維表面に花粉が付きにくく、付いた花粉も落ちやすい機能性繊維
花粉ガード加工『
（カ）「朝日新聞」２００５．０２．１５東京朝刊１３頁　朝日新聞社発行
　「
花粉を抑制
新しい撥水（はっすい）加工による高密度の織物で、花粉がつきにくく落ちやすいのが特徴だ。
上着などを発売
（キ）「繊研新聞」２００５．０５．１３　４面　繊研新聞社発行
　「ソフト性と軽さを訴求　ダイワボウ来春夏向け『キューロン』　癒しテーマに」の表題のもと、「ダイワボウは０６年春夏向け素材で、癒しをテーマにソフトと軽さにこだわる。新素材は極薄ストレッチ織物『キューロン』。・・・機能加工では、ナノレベルの薬剤を使った
花粉ガード
（ク）「繊研新聞」２００６．０１．１１　４面　繊研新聞社発行
　「東レ　ナノテク加工広がる　口紅落としと
花粉ガード
花粉付着防止『
花粉ガード用コート
日常着に近い婦人ボトムや婦人・紳士のスプリングコート、スポーツ・カジュアル分野のジャケットなどへ広がった。
今後はインテリアや寝装へも提案する。
（ケ）「繊研新聞」２００６．０２．２１　２面　繊研新聞社発行
　「
花粉防止ウエア
花粉の付着を防ぐウエア
花粉付着防止加工を施すことで、花粉が絡みやすいニットでありながら付着しにくく、容易に脱落除去ができる。
花粉ガードを施した素材を使ったジャケット、ベスト、パンツも発売する。
（コ）「日本経済新聞」２００８年１月２２日朝刊３１面　日本経済新聞社発行
　「花粉、着て防ぐ／付着しにくく／アレルギー抑える／コートやストッキング」の表題のもと、「
衣料品でも花粉の付着や働きを抑えるコートやストッキングなどが登場。」、
花粉症対策に効果のある春用コート
屋外の花粉を室内に持ち込むのを防ぐほか
花粉対策用のコートやブルゾンを発売している。
花粉が付着しにくい素材を使ったショートコート
花粉症対策コート
『坑花粉ストッキング』
ウ　インターネットのホームページ情報
（ア）http://www.rakuten.co.jp/csp/788398/764669/
　ショッピングサイト「楽天市場」における「ｍｉｌｌｅ　ｆｅｒｍｅ　おしゃれ授乳服　ミル・フェルム」（有限会社シーエスピー搭載）のホームページにおいて、「
花粉ガード加工
花粉や埃が付きにくく、落ちやすい花粉ガード加工の
花粉ガード加工
花粉付着防止／花粉ガード加工／花粉や埃が付きにくく、落ちやすい
花粉ガード加工
花粉や埃が付きにくく落ちやすい花粉ガード加工
花粉ガード加工
（イ）http://tomiya.web.infoseek.co.jp/kafun17/kafun17.htm
　トミヤ帽子店が運営するホームページにおいて、「おしゃれな花粉対策」の表題のもと、「花粉対策をファッションとして楽しもう！！◆オシャレな
帽子でおしゃれに『花粉対策』
『花粉ガード加工』とは
花粉を払い落とす機能のある『花粉付着防止剤』を生地全面にスプレーする事によって、繊維の表面に花粉が付きにくく、また、付いた花粉も軽くたたく事で落ちやすくする機能性加工の事です。
花粉ガード加工』
花粉ガード加工された生地を使用した帽子は、静電気防止剤の働きにより、粘着性のある花粉やハウスダスト、ほこり等の吸着もガードし、花粉が帽子に付着するのを抑えます。
（ウ）http://www.ichibo.jp/material/kahungard.html
　第一紡績株式会社が運営するホームページにおいて、杉林を背景にし、その表面に「
花粉付着防止／花粉ガード加工」
花粉ガード加工／花粉や埃が付きにくく・落ちやすい／繊維の表面を滑らかにし、また、静電気の発生を抑えることで粘着性のある花粉や埃などの吸着を防ぎ、落としやすくします。
（エ）http://www.sakaiovex.co.jp/news/2003/whats0311.html
　サカイオーベックスが運営する「新着情報−
花粉ガード加工
花粉の付着をガードする加工
花粉ガード加工『ポルテクト』は、繊維の表面に花粉が付きにくく、また、付いた花粉も軽く叩くことで落ちやすくする機能性加工。 
（オ）http://www.miyamori-co.com/base/processing.htm
　株式会社ミヤモリが運営するホームページにおいて、「ニットの基礎知識：加工について」の表題のもと、「
花粉ガード加工
繊維の表面を滑らかにし、また、静電気の発生を抑え粘着性のある花粉や埃などの吸着を防ぎ落としやすくする加工のこと。
（カ）http://202.214.18.226/seninews/viewArticle.do?data.articleId=77638data.newskey=aa9beda661704b379da48a22036a4e9c
　ダイセン株式会社が運営する「繊維ニュース」のホームページにおいて、「繊維ニュース／花粉対策特集／
花粉対策、基本は“衣”から
素材メーカー各社が花粉対策として花粉付着抑制機能などの加工を施した商品を商品名をあげてその特徴等を説明しているところ、
続々と花粉対策素材が登場／花粉対策の加工、素材はほとんどの素材メーカーが展開するまでになってきた。
『花粉ガード』加工
（キ）http://www.kbseiren.com/products/bellcare/bellcare.htm
　ＫＢセーレン株式会社が運営する「商品情報」のホームページにおいて、「Ｂｅｌｌｃａｒｅ／ベルケア」の表題のもと、「
花粉ガード素材／花粉がつきにくく、落ちやすい。
花粉ガード加工
花粉がつきにくい機能』と『花粉が落ちやすい機能』のＷ機能の融合に成功。
用途展開／・シャツ、ブラウス、ポロシャツ等／・スーツ、ジャケット、ブルゾン、コート等／・スラックス、パンツ、スカート等／・帽子、スカーフ等／・ナイティー、寝装品等」
（ク）http://www.rakuten.co.jp/csp/971969/843073/#738192
　ショッピングサイト「楽天市場」における「ｍｉｌｌｅ　ｆｅｒｍｅ　おしゃれ授乳服　ミル・フェルム」（有限会社シーエスピー搭載）のホームページにおいて、「
花粉ガードフリルアンサンブル・母乳育児用授乳服」
花粉ガード加工の授乳服が出来ました。繊維の1本1本を滑らかにし静電気が起こりにくくなっている為、花粉や埃が付きにくく落ちやすく作られています。
（ケ）http://item.rakuten.co.jp/auc-yoshietsu/amgo100-135/
　ショッピングサイト「楽天市場」における「カーテン選びの案内人」（株式会社吉悦商店搭載）のホームページにおいて、
レースカーテンについて
花粉ガード
３．花粉ガード
「１３ミクロの皮膜がお部屋へ花粉の侵入を防ぎます。」
（コ）http://item.rakuten.co.jp/biwave/123334k_eo100/
　ショッピングサイト「楽天市場」における「美・ＷＡＶＥ」（カーテン専門店「美ウェーブ」搭載）のホームページにおいて、
「７機能　魔法のレースカーテン」
「花粉ガード」
「花粉をシャットアウト！／１０ミクロンの皮膜が、花粉の侵入を防ぎます。」
（３）そうとすれば、本願商標をその指定商品に使用しても、これに接する取引者、需要者は、全体として「花粉から防護するために加工を施された商品」等の意味合いを容易に想起し、単に商品の品質を表示するものと理解するに止まり、自他商品の識別標識としては認識し得ないものというべきである。
　請求人は、本願商標が仮に品質表示的意味合いが認識されるとしても、それは直接的なものではなく、あくまでも暗示的なものにすぎず、指定商品との関係においては十分自他商品識別力を発揮しうるものである旨主張する。
　しかしながら、前述のとおり、前記実情からすると、本願商標をその指定商品に使用しても、これに接する取引者、需要者は、「花粉から防護するために加工を施された商品」等の意味合いを容易に想起し得るものであり、商品の品質を、暗示的にとどまらず、直接的に表示したものと理解するに止まり、自他商品の識別標識としては認識し得ないものというべきであるから、前記請求人の主張は採用できない。
　したがって、本願商標を商標法第３条第１項第３号に該当するとの原査定は妥当なものであって、取り消すことはできない。 
　よって、結論のとおり審決する。